(57)【要約】【課題】アリーナに生じる日陰領域の減少、及び、スタンドに生じる吹き降り領域の減少を、経済的に実現する。【解決手段】アリーナ１と、アリーナ１の周部に配置したスタンド２と、アリーナ１の上を開放し、且つ、スタンド２の上を覆う屋根部３とを備えた競技場であって、屋根部３は、屋根板５と、屋根板５を支持する屋根大梁６とを備えて構成してあり、屋根板５は、屋根大梁６の下に配置してあると共に、アリーナ１側に位置する前側領域に、光透過性を有する透光屋根部３Ｂａを備えている。【選択図】図２
2015209650.tif 000002
【特許請求の範囲】
【請求項１】
アリーナと、
前記アリーナの周部に配置したスタンドと、
前記アリーナの上を開放し、且つ、前記スタンドの上を覆う屋根部とを備えた競技場であって、
前記屋根部は、屋根板と、前記屋根板を支持する屋根大梁とを備えて構成してあり、
前記屋根板は、前記屋根大梁の下に配置してあると共に、前記アリーナ側に位置する前側領域に、光透過性を有する透光屋根部を備えている競技場。
【請求項２】
前記屋根大梁は、前記屋根板の前端ラインに沿う方向に長手方向を向けて架設された前側屋根大梁を備え、前記前側屋根大梁は、前記屋根板の前端よりも後端側に離間させて配置してある請求項１に記載の競技場。
【請求項３】
前記透光屋根部は、平面視における太陽軌跡側に位置する屋根部に設けてある請求項１又は２に記載の競技場。
【発明の詳細な説明】
【技術分野】
【０００１】
本発明は、アリーナと、前記アリーナの周部に配置したスタンドと、前記アリーナの上を開放し、且つ、前記スタンドの上を覆う屋根部とを備えた競技場に関する。
【背景技術】
【０００２】
従来、この種の競技場には、屋根部として、スタンド前方側（アリーナ側）からスタンド後方側（競技場外側）にかけて下り勾配の屋根面を構成する屋根フレームと、屋根フレームの上に支持された屋根板とを設けて構成してあるものがあった（例えば、特許文献１参照）。
また、屋根板は、屋根フレームに対して、前記屋根面の傾斜に沿って移動自在に取り付けてあり、ウインチ等の駆動装置を用いて、屋根板をスタンド後方側へ移動させることで、屋根板による影がアリーナに落ちないようにでき、アリーナの芝の育成を図れるようにしてあった。
【先行技術文献】
【特許文献】
【０００３】
【特許文献１】特開平８−２７７６４３号公報（図３、図７）
【発明の概要】
【発明が解決しようとする課題】
【０００４】
屋根部は、スタンドに対する直射日光や降雨の遮蔽等を図る機能がある一方で、芝が設置されているアリーナに対しては、日射を阻害しないことが求められ、一般的には、平面視における屋根部の前端ラインが、スタンドとアリーナとの境界部分付近に位置する状態に設けられていることが多い。
また、屋根板は、梁成の大きな屋根フレームの更に上に設置されているから、アリーナ上面と屋根板前端位置との鉛直距離（以後、単に「屋根板高さ」という）は、かなり大きな値となる。
【０００５】
その結果、屋根部の上方からアリーナに向かって斜めに太陽光が照射される場合は、アリーナにおけるスタンド側の縁部に、前記「屋根板高さ」に相関した日陰領域が生じることになり、アリーナ上の芝を育成させる上での障害となり易い。
一方、アリーナの上方からスタンドに向かって斜めに吹き込む降雨がある場合は、スタンドにおけるアリーナ側の縁部に、前記「屋根高さ」に相関した吹き降り領域が生じることになり、スタンドでの観戦者が濡れることになる。
【０００６】
上述した従来の競技場によれば、屋根板を屋根勾配に沿って下手側へ移動させることで、上述のアリーナに生じる日陰領域を減少させることができる。
しかしながら、そのためには、屋根板を移動させるためのレールや駆動装置等の設備が必要であることに加えて、屋根板を移動させる度に手間がかかり、イニシャルコスト・ランニングコストを含む経済性に問題点がある。
また、吹き降り領域の減少については効果を期待できない問題点がある。
【０００７】
従って、本発明の目的は、上記問題点を解消し、アリーナに生じる日陰領域の減少、及び、スタンドに生じる吹き降り領域の減少を、経済的に実現できる競技場を提供するところにある。
【課題を解決するための手段】
【０００８】
本発明の特徴は、アリーナと、前記アリーナの周部に配置したスタンドと、前記アリーナの上を開放し、且つ、前記スタンドの上を覆う屋根部とを備えた競技場であって、前記屋根部は、屋根板と、前記屋根板を支持する屋根大梁とを備えて構成してあり、前記屋根板は、前記屋根大梁の下に配置してあると共に、前記アリーナ側に位置する前側領域に、光透過性を有する透光屋根部を備えているところにある。
【０００９】
本発明によれば、屋根板は、屋根大梁の下に配置してあるから、屋根大梁の設置高さを従来と同じとした場合、前記「屋根板高さ」を、従来の場合より小さくすることができる。
従って、「屋根板高さ」に相関した前記吹き降り領域も、従来の場合より小さくすることができる。
【００１０】
また、前記「屋根板高さ」の減少に伴う前記日陰領域の減少に加えて、屋根板のアリーナ側に位置する前側領域に、光透過性を有する透光屋根部を備えていることで、前記日陰領域を更に減少させることができる。
その結果、アリーナの芝育成上の環境改善と、スタンドでの観戦環境の改善とを、経済的に実現することが可能となった。
更には、屋根部の下面は、屋根大梁が突出しない平坦な仕上がりにできるから、スタンドから屋根部を見上げた時の景観を、整然としたものにでき、美観性の向上を図れる。
【００１１】
本発明においては、前記屋根大梁は、前記屋根板の前端ラインに沿う方向に長手方向を向けて架設された前側屋根大梁を備え、前記前側屋根大梁は、前記屋根板の前端よりも後端側に離間させて配置してあると好適である。
【００１２】
本構成によれば、前側屋根大梁を屋根板の前端よりも後端側に離間させて配置してあるから、前側屋根大梁によって屋根板を支持できながら、屋根板の前記前側領域に備えられた前記透光屋根部を通して太陽光がアリーナ側に照射される時に、前側屋根大梁の影がアリーナに生じ難くなり、アリーナの芝育成上の良好な環境を維持しやすい。
また、スタンドからアリーナを挟んだ対向側の屋根部を見た時に、その屋根部の前側屋根大梁は、奥側に引退していることで前面への露出度が低くなり、美観性の低下を防止できる。
【００１３】
本発明においては、前記透光屋根部は、平面視における太陽軌跡側に位置する屋根部に設けてあると好適である。
【００１４】
アリーナを囲む屋根部の内、平面視において太陽軌跡側に位置する屋根部は、一日を通してアリーナに太陽光の影を作り易い位置にある。具体的には、北半球においては南側に位置する屋根部であり、南半球においては北側に位置する屋根部である。
本構成によれば、平面視における太陽軌跡側に位置する屋根部に透光屋根部を設けてあるから、透光屋根部を通した太陽光の照射が期待でき、アリーナ上に、一日を通して太陽光が照射されない領域が生じるのを防止しやすい。
その結果、アリーナの芝育成上の環境改善を、効率的に行うことができる。
【図面の簡単な説明】
【００１５】
【図１】サッカー場の上面図である。
【図２】図１中のII−II矢視図である。
【発明を実施するための形態】
【００１６】
以下に本発明の実施の形態を図面に基づいて説明する。
【００１７】
図１、図２は、本発明の競技場の一実施形態であるサッカー場Ｋを示すもので、サッカー競技が実施される中央部のアリーナ１と、アリーナ１の周部に配置したスタンド２と、アリーナ１の上を開放し、且つ、スタンド２の上を覆う屋根部３とを備えて構成されている。
尚、当該実施形態で説明するサッカー場Ｋは、主たる構造に鉄骨構造を採用してあり、その平面形状は、南北方向に細長い略矩形形状であり、図１、図２における紙面右側の方位が北となるように配置されている。
【００１８】
アリーナ１は、平面形状が矩形形状に形成してあり（図１参照）、上面の略全域にわたって天然芝が植え付けてある。
このアリーナ１上において、サッカー競技が実施される。
【００１９】
スタンド２は、図１に示すように、アリーナ１の全周にわたって設けてあり、平面視での外形は、四隅が面取りされた略矩形形状に構成されている。
また、スタンド２は、図２に示すように、アリーナ１に面する前端側より後端側ほど高くなる「すり鉢」状に形成された観客席２Ａと、その観客席２Ａを支持している複数階層の構造部２Ｂとを備えて構成してある。
【００２０】
観客席２Ａは、床上に多数のベンチｂが設置されており、前端側のベンチ列より後端側のベンチ列が高くなるように床そのものに段差をつけて形成してある。また、観客席２Ａには、前記構造部２Ｂの各階層に連通自在な出入口４が適宜箇所に開放状態に設けられている。
【００２１】
構造部２Ｂは、柱、梁、壁、床等を備えた構造体として形成してあり、スタンド２のみならず、屋根部３をも支持する構造として構成されている。
構造部２Ｂの各階層には、例えば、駐車場や、クラブハウス、更衣室、事務室、倉庫、売店、便所等が設けてあり、前記出入口４を通して観客席２Ａへの出入りができるように構成されている。
【００２２】
屋根部３は、図１に示すように、スタンド２の上方全域を覆う状態に形成してあり、スタンド２における四隅部分の上方を覆うカバー屋根部３Ａと、スタンド２における四隅部分以外の部分、即ち、アリーナ１の四辺に面するスタンド２部分の上方を覆う平屋根部３Ｂとを備えて構成されている。
また、屋根部３は、屋根板５と、屋根板５を支持する屋根大梁６とを設けて構成されている。そして、屋根大梁６は、前記構造部２Ｂの柱によって支持されている。
尚、図には示さないが、現実的には、屋根大梁６に架設された小梁や桁等を介して屋根板５は支持されている。
【００２３】
屋根大梁６は、図１に示すように、複数設けられており、それぞれはトラスによって構成されている。
屋根大梁６は、平面視における屋根部３の四隅の面取り部３ａに夫々沿う姿勢で屋根中央側に寄った位置に配置された四つの第１大梁６ａと、隣接する第１大梁６ａの中間部どうしにわたって屋根部３の各辺に平行に配置された四つの第２大梁（前側屋根大梁に相当）６ｂと、第１大梁６ａにおける各第２大梁６ｂの連結部ｒから、屋根部３の対応する面取り部３ａの端部ｔにわたって夫々配置された八つの第３大梁６ｃとを備えて構成してある。
【００２４】
第１大梁６ａは、両端側がそれぞれ柱によって支持されている。また、トラス形状は、長手方向での中間に間隔をあけて設けた上述の連結部ｒから対応する各端部にかけて梁成が小さくなる扁平な台形形状にしてある（図２参照）。
【００２５】
第２大梁６ｂのトラス形状は、第１大梁６ａの最大梁成と同じ梁成の矩形形状にしてある。
【００２６】
第３大梁６ｃのトラス形状は、一端側の連結部ｒにおいては第１大梁６ａの最大梁成と同じ梁成で、他端側の端部ｔにかけて梁成が小さくなる略三角形形状にしてある。
また、端部ｔが柱によって支持されている。
【００２７】
カバー屋根部３Ａは、第１大梁６ａと第３大梁６ｃとが架設されている範囲に屋根板５を設けて構成されている（図１参照）。カバー屋根部３Ａに設置されている屋根板５Ａは、各トラスの上に沿わせて設けてある。従って、カバー屋根部３Ａは、屋根部３の外周側への下り勾配に構成されている。
また、前記屋根板５Ａは、例えば、金属製の折板等で構成することができ、合成樹脂塗装を施したものが好ましい。
【００２８】
平屋根部３Ｂは、第１大梁６ａと第２大梁６ｂとが架設されている範囲に屋根板５を設けて構成されている（図１参照）。平屋根部３Ｂに設置されている屋根板５Ｂは、図２に示すように、第１大梁６ａ・第２大梁６ｂの各トラスの下に沿わせて設けてあり、屋根板５Ｂの後端側（屋根部３の外周側）への最低限の水勾配がつけられている。
【００２９】
屋根板５Ｂの前端ラインｆは、直下の観客席２Ａの前端ラインに平面視で略重なるように設定してあり、雨粒が、観客席２Ａに垂下するのを防止している。
尚、第２大梁６ｂは、屋根板５Ｂの前端ラインｆに沿う方向に長手方向を向けて架設してあると共に、屋根板５Ｂの前端よりも後端側に離間させて配置してある。
【００３０】
また、屋根板５Ｂは、各トラスの下に沿わせて設けてあるから、トラスの上に設けるのに比べて屋根板高さｈを低くできる。それに伴って、例えば、屋根板５Ｂの前端から下した鉛直線に対して所定の角度で広がる吹き降り領域Ｌを、減少させることができる（図２参照）。
【００３１】
また、四か所ある平屋根部３Ｂの内、南側（図１、図２における紙面左側）に配置してある平屋根部３Ｂａにおいては、屋根板５Ｂにガラス板を採用してあり、太陽光を透過できるように構成してある。
従って、太陽軌跡側に相当する南側の平屋根部３Ｂａを通して太陽光Ｓがアリーア１の天然芝に照射されるから、天然芝への日射環境を向上させることができる（図２参照）。
この南側の平屋根部３Ｂａは、カバー屋根部３Ａも含めた屋根部３の全体の内の南側部分においてアリーナ１側に位置する前側領域に該当し、透光屋根部に相当する。
尚、当該実施形態においては、東側、北側、西側に配置してある各平屋根部３Ｂｂは、前記カバー屋根部３Ａの場合と同様に、屋根板５Ｂとして金属製の折板等で構成してある。
尚、当該実施形態のサッカー場においては、上述のとおり、平屋根部３Ｂでは、屋根板５Ｂを各トラスの下に沿わせて設けてあるのに対して、建物における四隅に位置するカバー屋根部３Ａにおいては、屋根板５Ａを各トラスの上に沿わせて設けてある。これは、建物の四隅の屋根部分は、外観上、特に目を引きやすい個所であることから、トラスの露出を避けることで美観性の向上を図っている。
【００３２】
当該実施形態のサッカー場Ｋによれば、前述のとおり、屋根板高さｈの減少に伴って、吹き降り領域Ｌを小さくできると共に、アリーナ１に対する日陰領域の減少化をも図れるようになる。また、南側に配置してある平屋根部３Ｂａを透光屋根部としたことで、前記日陰領域を更に減少させることができる。
その結果、アリーナ１の芝育成上の環境改善と、スタンド２での観戦環境の改善とを、複雑な駆動機構を設けずに経済的に実現することが可能となった。
更には、平屋根部３Ｂの下面は、屋根大梁６が突出しない平坦な仕上がりにでき、美観性の向上を図れる。
また、スタンド２側からアリーナ１を挟んだ対向側の屋根部３を見た時、特に目につきやすい平屋根部３Ｂにおいて、第２大梁６ｂが奥側に引退していることで前面への露出度が低くなり、この意味からも美観性の低下を防止しやすい。
【００３３】
〔別実施形態〕
以下に他の実施の形態を説明する。
【００３４】
〈１〉  アリーナ１やスタンド２や屋根部３の形状は、適宜変更することが可能である。
従って、スタンド２は、アリーナ１の全周にわたって設けられるもの以外にも、アリーナ１の特定の周部に設けられるものであってもよい。
【００３５】
〈２〉  屋根部３における屋根大梁６の配置等については、先の実施形態で説明したものに限るものではなく、適宜変更することが可能である。
【００３６】
〈３〉  透光屋根部３Ｂａは、先の実施形態で説明した略三角形の平屋根部３Ｂａの全体によって構成されるものに限らず、平屋根部３Ｂａ全体の内の前側領域のみに形成してあってもよい。
また、透光屋根部３Ｂａの配置は、南側の屋根部３にのみ設けることに限らず、例えば、東側や北側や西側の屋根部３に設けるものであってもよい。
【００３７】
〈４〉  透光屋根部３Ｂａの屋根板５は、ガラス板に限るものではなく、例えば、アクリル板や、合わせガラス板等であってもよく、更には、光透過性に特徴を備えた機能性ガラス板とうであってもよい。
【００３８】
〈５〉  前側屋根大梁６ｂは、先の実施形態で説明したように、屋根板５の前端よりも後端側に離間させて配置してあるものに限らず、例えば、屋根板５の前端に沿って配置してあってもよい。
【００３９】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００４０】
当該発明の競技場Ｋは、サッカー場に限るものではなく、例えば、陸上競技場やラグビー場や野球場等の競技場にも利用できる。
【符号の説明】
【００４１】
１      アリーナ
２      スタンド
３      屋根部
３Ｂ    平屋根部
３Ｂａ  南側に配置してある平屋根部（透光屋根部に相当）
５      屋根板
６      屋根大梁
６ｂ    第２大梁（前側屋根大梁に相当）
ｆ      前端ライン
【図１】
2015209650.tif 000003
【図２】
2015209650.tif 000004